(57)【要約】【課題】  暗がりの接写撮影時においても被写体に発光部の光を適切に当てることにより、きれいに撮影することができる撮像装置を提供する。【解決手段】  接写機能を有する撮像部１８と、被写体を照らすために用いる発光部２０と、前記発光部２０の光を拡散させる拡散レンズ３０を備えたレンズ保持部２６と、接写時には前記拡散レンズ３０が前記発光部２０の発光位置の前に配置され、接写以外の撮影時には前記拡散レンズ３０が前記発光位置の前に配置されないように前記レンズ保持部２６の位置を切り換える切換部２８とを有するようにした。【効果】  暗がりの接写撮影時においても被写体に発光部の光を適切に当てることにより、きれいに撮影することができる。【選択図】      図３
2007108306.tif 000002
【特許請求の範囲】
【請求項１】
接写機能を有する撮像部と、
被写体を照らすために用いる発光部と、
前記発光部の光を拡散させる拡散レンズを備えたレンズ保持部と、
接写時には前記拡散レンズが前記発光部の発光位置の前に配置され、接写以外の撮影時には前記拡散レンズが前記発光位置の前に配置されないように前記レンズ保持部の位置を切り換える切換部と
を有することを特徴とする撮像装置。
【請求項２】
接写機能を有する撮像部と、
被写体を照らすために用いる発光部と、
前記発光部の光を屈折させる屈折レンズを備えたレンズ保持部と、
接写時には前記屈折レンズが前記発光部の発光位置の前に配置され、接写以外の撮影時には前記屈折レンズが前記発光位置の前に配置されないように前記レンズ保持部の位置を切り換える切換部と
を有することを特徴とする撮像装置。
【請求項３】
前記発光部は放電管又は発光ダイオードであって、
接写時に照射する前記発光部の光量が、接写以外の撮影時に照射する前記発光部の光量より小さくなるように制御する制御部を有することを特徴とする請求項１又は２に記載の撮像装置。
【発明の詳細な説明】
【技術分野】
【０００１】
本発明は、接写機能を備える撮像部と、発光部を有する撮像装置に関するものである。
【背景技術】
【０００２】
従来において、デジタルカメラ、撮像機能付き携帯電話機、及び撮像機能付きＰＤＡ（Ｐｅｒｓｏｎａｌ  Ｄｉｇｉｔａｌ  Ａｓｓｉｓｔａｎｔ）等の撮像装置には、発光部（フラッシュ部）を備えるものがあった（例えば、特許文献１参照）。この撮像装置は、暗がりでも発光部から発する光を被写体に当てた状態で、撮影することができるようになっていた。
【０００３】
一方、近時において、接写機能を有する撮像部を備えることにより、通常距離での撮影以外にも、接写撮影を行なうことができる撮像装置も提案されている。
【特許文献１】特開２００３−２３００２７号公報
【発明の開示】
【発明が解決しようとする課題】
【０００４】
しかしながら、このような従来の接写機能付きの撮像部を備える撮像装置では、さらに発光部を備え、かつ、この発光部を撮像部の近傍に配置するとしても、発光部が照射する光は指向性を有するために、暗がりでの接写撮影時にはこの光を被写体に適切に当てることが難しく、きれいに撮影することが難しいという問題があった。
【０００５】
すなわち、発光部は、指向性を有して一定角度の範囲内だけを照射するようになっており、撮影距離が短くなるほど照射領域は狭くなるので、接写撮影時において発光部から照射される光は、一定角度の範囲から外れた被写体の部分には当たらない。
【０００６】
また、発光部は撮像部の撮像軸線上に配置することができずに、撮像部と並んで配置されるため、撮像部とその撮像軸線上の被写体が互いに接近するほど、撮像軸線上にない発光部と撮像軸線上の被写体とを結ぶ直線の方向は、徐々に撮像部側に傾いていくことになる。これに対して、発光部の照射方向は、通常の距離での撮影を前提として撮影方向とほぼ平行に向けて設定されているため、接写撮影時においては、発光部と被写体とを結ぶ直線の方向が、発光部の照射方向と離れてしまう。
【０００７】
このため、従来の撮像装置では、接写撮影時に発光部の光を被写体に適切に当てることが難しく、きれいに撮影することが難しいという問題があった。
【０００８】
そこで本発明は、上記問題点に鑑みて、暗がりの接写撮影時においても被写体に発光部の光を適切に当てることにより、きれいに撮影することができる撮像装置を提供することを課題とするものである。
【課題を解決するための手段】
【０００９】
上記課題を解決するために、本発明の撮像装置は、
接写機能を有する撮像部と、
被写体を照らすために用いる発光部と、
前記発光部の光を拡散させる拡散レンズを備えたレンズ保持部と、
接写時には前記拡散レンズが前記発光部の発光位置の前に配置され、接写以外の撮影時には前記拡散レンズが前記発光位置の前に配置されないように前記レンズ保持部の位置を切り換える切換部と
を有することを特徴とするものである。
【００１０】
また、上記課題を解決するために、本発明の撮像装置は、
被写体を照らすために用いる発光部と、
前記発光部の光を屈折させる屈折レンズを備えたレンズ保持部と、
接写時には前記屈折レンズが前記発光部の発光位置の前に配置され、接写以外の撮影時には前記屈折レンズが前記発光位置の前に配置されないように前記レンズ保持部の位置を切り換える切換部と
を有することを特徴とするものである。
【００１１】
また、本発明による撮像装置は、
前記発光部は放電管又は発光ダイオードであって、
接写時に照射する前記発光部の光量が、接写以外の撮影時に照射する前記発光部の光量より小さくなるように制御する制御部を有することを特徴とするものである。
【発明の効果】
【００１２】
このような本発明の撮像装置によれば、暗がりの接写撮影時においても被写体に発光部の光を適切に当てることにより、きれいに撮影することができる。
【発明を実施するための最良の形態】
【００１３】
以下、本発明に係る撮像装置の実施の形態について、図面に基づいて具体的に説明する。
図１ないし図５は、本発明の第１の実施の形態に係る撮像機能付き携帯電話機２（撮像装置に相当）について説明するために参照する図である。
【００１４】
本実施の形態に係る撮像機能付き携帯電話機２は、図１に示すように、ヒンジ４を介して矢印Ａの方向に回動自在に連結される、略矩形板状の第１筐体６と第２筐体８とを備えている。第１筐体６は、第２筐体８との対向面６ａに、表示部１０及びスピーカー１２を有しており、スピーカー１２は第１筐体６の長さ方向におけるヒンジ４とは反対側の端部寄りの位置に配置されている。また、第２筐体８は、第１筐体６との対抗面８ａに、操作部１４及びマイクロホン１６を有しており、マイクロホン１６は第２筐体８の長さ方向におけるヒンジ４とは反対側の端部寄りの位置に配置されている。
【００１５】
また、撮像機能付き携帯電話機２は、図２に示すように、第１筐体６に、表示部１０（図２中、不図示）の表示方向と略反対方向に撮像窓１８ａを向けた撮像部１８を有している。そのため、ユーザーは、撮像機能付き携帯電話機２を、撮像部１８による撮影を行なう撮像モードにした場合、表示部１０をファインダーとして見ながら、撮像部１８による撮影を行なうことができる。また、撮像部１８は、接写機能を備えている。
【００１６】
また、撮像機能付き携帯電話機２は、図３に示すように、撮像部１８の近傍であって第１筐体６の内部に配置される発光部２０を有している。このような発光部２０としては、ＬＥＤ（発光ダイオード）や放電管等が用いられる。また、撮像機能付き携帯電話機２は第１筐体６の外面上に、発光部２０を防護する防護板２４を有している。防護板２４は透光性を有しており、発光部２０が発する光は、防護板２４を通って被写体に照射される。
【００１７】
また、撮像機能付き携帯電話機２は第１筐体６内に、扇状をしたレンズ保持部２６と、切換部２８を有している。レンズ保持部２６は、切換部２８の後述する第１歯車３６の外周上に固定されており、この第１歯車３６の回動軸を中心とする不図示の仮想の円周上に、順に並んで配置される拡散レンズ３０、貫通孔３２及び絞りレンズ３４を備えている。
【００１８】
切換部２８は、図４に示すように、第１歯車３６と回転つまみ３８等を備え、回転つまみ３８の外周縁部の一部に形成した複数の歯３８ａを第１歯車３６と互いに回動可能に噛合わせて構成されている。第１歯車３６は、レンズ保持部２６が固定されている長さ部分を除く外周部分であって、レンズ保持部２６の拡散レンズ３０と絞りレンズ３４の間の角度範囲と同じ大きさの角度範囲に対応する長さ部分だけに、歯車の歯３６ａが形成されている。また、回転つまみ３８は、図３に示すように、第１歯車３６とは反対側の外周縁部が第１筐体６の外側に露出している。
【００１９】
この回転つまみ３８を、その第１筐体６の外側に露出する外周縁部に指先の腹を当てて回動させると、第１歯車３６が回動して、レンズ保持部２６は、その拡散レンズ３０、貫通孔３２又は絞りレンズ３４のいずれかが、発光部２０と防護板２４の間の位置に移動して切換わるようになっている。
【００２０】
レンズ保持部２６の位置が切換わることにより、拡散レンズ３０が発光部２０と防護板２４の間の位置に移動した場合には、この拡散レンズ３０は、発光部２０が照射する角度範囲を広げるように作用する。また、貫通孔３２が発光部２０と防護板２４の間の位置に移動した場合には、この貫通孔３２は、発光部２０の光をほぼそのまま透過させるように作用する。また、絞りレンズ３４が発光部２０と防護板２４の間の位置に移動した場合には、この絞りレンズ３４は、発光部２０が照射する角度範囲を絞るように作用する。
【００２１】
例えば、暗がりで撮影する際に、レンズ保持部２６の貫通孔３２が、発光部２０と防護板２４の間の位置にある場合には、発光部２０の光は、図５に示すように、このレンズ保持部２６の貫通孔３２（図５中、不図示）及び防護板２４を透過し、通常距離での撮影を前提とする角度範囲θ１内を照射するようになっており、通常距離として設定される携帯電話機２からの一定の距離の範囲内（図５中、ｄの範囲）において、撮像部１８の撮影領域が、発光部２０の照射領域内に適切に含まれるようになっている。
【００２２】
また、このような状態では、通常距離よりも近くにある被写体Ｍを接写撮影しようとする場合に、被写体Ｍの一部が、発光部２０により照射される角度範囲θ１から外れてしまうが、レンズ保持部２６の位置を切換えることにより、その拡散レンズ３０（図３参照）を発光部２０と防護板２４の間の位置に移動させれば、発光部２０は、図５に示すような角度範囲θ２内を照射するようになり、被写体Ｍの全体を照射するようになる。
【００２３】
このような本実施の形態に係る撮像機能付き携帯電話機２によれば、暗がりの接写撮影時においても、レンズ保持部２６の位置を切換えることにより、その拡散レンズ３０を発光部２０と防護板２４の間の位置に移動させれば、発光部２０が照射する角度範囲が広がって被写体に発光部２０の光が適切に当たるようになるため、きれいに撮影することができる。
【００２４】
また、本実施の形態に係る撮像機能付き携帯電話機２によれば、暗がりにおいて、接写するのと反対に離れた位置にある被写体を撮影する場合でも、レンズ保持部２６の位置を切換えることにより、その絞りレンズ３４を発光部２０と防護板２４の間に移動させれば、発光部２０が照射する角度範囲が絞られ、被写体の照度（照らされた面の明るさ）を増加させることができるようになるため、きれいに撮影することができる。
【００２５】
また、暗がりにおける通常撮影にて被写体を撮影するときには、レンズ保持部２６の位置を切換えることにより、その貫通孔３２を発光部２０と防護板２４の間に移動させれば、従来と同様に撮影することができる。
【００２６】
次に、図６及び図７に基づいて本発明の第２の実施の形態に係る撮像機能付き携帯電話機５０（撮像装置に相当）について説明する。これらの図に示す撮像機能付き携帯電話機５０は、前記第１の実施の形態に係る撮像機能付き携帯電話機２と同様の部分には同じ符号を付して説明し、同様の構成についての重複する説明は省略するものとする。
【００２７】
本実施の形態に係る撮像機能付き携帯電話機５０は、前記第１の実施の形態に係る切換部２８の代わりに、図６に示すような切換部５２を有している。この切換部５２は、第１かさ歯車５４と、この第１かさ歯車５４と噛合う第２かさ歯車５６と、この第２かさ歯車５６を回動させるモータ５８とを備えて構成されている。
【００２８】
また、撮像機能付き携帯電話機５０は、前記第１の実施の形態に係るレンズ保持部２６の代わりに、略扇状をしたレンズ保持部６０を有している。このレンズ保持部６０は、前記第１の実施の形態に係るレンズ保持部２６と同様に、拡散レンズ３０、貫通孔３２及び絞りレンズ３４を備えていると共に、図７に示すように、このレンズ保持部６０の回動軸線Ｌを中心軸とする円盤部６２を有している。そして、この円盤部６２の同軸上でその下面には、切換部５２の第１かさ歯車５４が一体的に形成されている。
【００２９】
また、図６に示すように、撮像機能付き携帯電話機５０は、測距部６４を備えている。この測距部６４は、発光素子６６と受光素子６８を有しており、受光素子６８が、発光素子６６から照射されて被写体より反射した赤外線を受光することにより、被写体までの距離を測定するようになっている。
【００３０】
また、撮像機能付き携帯電話機５０は、その回路構成を示すブロック図等は図示しないが、撮像部１８、発光部２０、切換部５２及び測距部６４等を制御する制御部を備えている。この不図示の制御部は、測距部６４が測定した被写体までの距離に基づいて、接写時に照射する発光部２０の光量を、接写以外の撮影時に照射する発光部２０の光量より少なくするように制御している。すなわち、接写時の発光部２０の光度（光源としての光の強さ）を、接写以外の撮影時の発光部２０の光度よりも小さくするように制御している。
【００３１】
また、この不図示の制御部は、測距部６４が測定した被写体までの距離に基づいて、図６に示す切換部５２のモータ５８を駆動させ、レンズ保持部６０の拡散レンズ３０、貫通孔３２又は絞りレンズ３４のいずれかが、発光部２０と防護板２４の間の位置に移動するよう制御している。
【００３２】
例えば、被写体までの距離が１０ｃｍ以下である場合には、この不図示の制御部は、レンズ保持部６０の位置を切換えることにより、その拡散レンズ３０が発光部２０と防護板２４の間の位置に移動するよう制御している。被写体までの距離が１０ｃｍを超えて５０ｃｍ以下である場合には、貫通孔３２が発光部２０と防護板２４の間の位置に移動するよう制御している。また、被写体までの距離が５０ｃｍを超える場合には、絞りレンズ３４が発光部２０と防護板２４の間の位置に移動するよう制御している。
【００３３】
このような本実施の形態に係る撮像機能付き携帯電話機５０によれば、暗がりの接写撮影時においても、レンズ保持部６０の位置が自動的に切換わることにより、その拡散レンズ３０が発光部２０と防護板２４の間の位置に移動し、発光部２０が照射する角度範囲が広がって被写体に発光部２０の光が適切に当たるようになるため、きれいに撮影することができる。
【００３４】
また、本実施の形態に係る撮像機能付き携帯電話機５０によれば、暗がりにおいて、接写するのと反対に離れた位置にある被写体を撮影する場合でも、レンズ保持部６０の位置が自動的に切換わることにより、その絞りレンズ３４が発光部２０と防護板２４の間の位置に移動し、発光部２０が照射する角度範囲が絞られ、被写体の照度（照らされた面の明るさ）を増加させることができるようになるため、きれいに撮影することができる。
【００３５】
また、暗がりにおいて通常の距離だけ離れた被写体を撮影する場合でも、レンズ保持部６０の位置が自動的に切換わることにより、その貫通孔３２が発光部２０と防護板２４の間の位置に移動し、従来と同様に撮影することができる。
【００３６】
また、本実施の形態に係る撮像機能付き携帯電話機５０によれば、その制御部が、測距部６４により測定した被写体までの距離に基づいて、接写時に照射する発光部２０の光量を、接写以外の撮影時に照射する発光部２０の光量より少なくするように制御しているので、暗がりの接写撮影時において、被写体からの反射光が大きくなり過ぎて画像全体が白く写ってしまうのを防止することができる。
【００３７】
なお、前記第１及び第２の実施の形態に係る撮像機能付き携帯電話機２，５０のレンズ保持部２６，６０は、拡散レンズ３０及び絞りレンズ３４を備えるようになっていたが、拡散レンズ３０及び絞りレンズ３４の代わりに、この拡散レンズ３０及び絞りレンズ３４の各々と同様に作用するプリズムを備えるようになっていてもよい。
【００３８】
また、前記第１及び第２の実施の形態に係る撮像機能付き携帯電話機２，５０のレンズ保持部２６，６０は、拡散レンズ３０を備えるようになっていたが、この拡散レンズ３０の代わりに、発光部２０の光を屈折させることにより照射方向を撮像部１８側に寄せる屈折レンズ又は屈折プリズムを備えるようになっていてもよい。
【００３９】
このようなレンズ保持部２６，６０に屈折レンズ又は屈折プリズムを備える撮像機能付き携帯電話機によれば、暗がりの接写撮影時においても、レンズ保持部２６，６０の位置の切換えにより、その屈折レンズ又は屈折プリズムが発光部２０と防護板２４の間の位置に移動し、発光部２０の照射方向が被写体に向いて適切に照射することができるようになるため、きれいに撮影することができる。
【００４０】
また、前記第１及び第２の実施の形態では、本発明を撮像機能付き携帯電話機２，５０に対し適用した場合について説明したが、例えばデジタルカメラや撮像機能付きＰＤＡのような、撮像機能付き携帯電話機２，５０以外の他の撮像装置に対しても、本発明を適用することができることはいうまでもない。
【図面の簡単な説明】
【００４１】
【図１】本発明の第１の実施の形態に係る撮像機能付き携帯電話機２の開いた状態の前面を示す斜視図である。
【図２】本発明の第１の実施の形態に係る撮像機能付き携帯電話機２の開いた状態の背面を示す斜視図である。
【図３】本発明の第１の実施の形態に係る撮像機能付き携帯電話機２の閉じた状態の第１筐体６を示す平面図である。
【図４】図３に示すレンズ保持部２６及び切換部２８を示す拡大平面図である。
【図５】本発明の第１の実施の形態に係る撮像機能付き携帯電話機２の発光部２０が、この発光部２０と防護板２４の間にレンズ保持部２６の貫通孔３２又は拡散レンズ３０を移動させたときに照射する角度範囲θ１，θ２を示す模式図である。
【図６】本発明の第２の実施の形態に係る撮像機能付き携帯電話機５０の閉じた状態の第１筐体６を示す平面図である。
【図７】図６に示す切換部５２及びレンズ保持部６０を示す斜視図である。
【符号の説明】
【００４２】
２  撮像機能付き携帯電話機
４  ヒンジ
６  第１筐体
６ａ  対向面
８  第２筐体
８ａ  対向面
１０  表示部
１２  スピーカー
１４  操作部
１６  マイクロホン
１８  撮像部
２０  発光部
２４  防護板
２６  レンズ保持部
２８  切換部
３０  拡散レンズ
３２  貫通孔
３４  絞りレンズ
３６  第１歯車
３６ａ  歯
３８  回転つまみ
３８ａ  歯
５０  撮像機能付き携帯電話機
５２  切換部
５４  第１かさ歯車
５６  第２かさ歯車
５８  モータ
６０  レンズ保持部
６２  円盤部
６４  測距部
６６  発光素子
６８  受光素子
【図１】
2007108306.tif 000003
【図２】
2007108306.tif 000004
【図３】
2007108306.tif 000005
【図４】
2007108306.tif 000006
【図５】
2007108306.tif 000007
【図６】
2007108306.tif 000008
【図７】
2007108306.tif 000009